(57)【要約】【課題】      所望の切断距離で被対象物を切ることが簡単に可能なカッターを提供する。【解決手段】  第１部材３に設けられて軸心部材１９を中心に回転可能な円形刃１７と第２部材５の円形刃１７に対向する位置に設けられる刃受部３５との間に、切断される被対象物の例えば紙が介在した状態で、ユーザが手で第１部材３の前端部３ｂと第２部材の前端部５ｂとを近づけることにより紙が挟まれ、カッター１が動かされることにより、円形刃１７が回転して紙が切られる。その円形刃１７の回転は、円環部材２１、円環部材２３、円環部材２５、円板部材２７、円板部材２９により伝達される。これらは測定機構３４を構成し、円形刃１７の回転により切断した距離を測定する機能を果たすことができる。【選択図】  図１
0003112463.tif 000002
【実用新案登録請求の範囲】
【請求項１】
軸心を中心に回転可能な回転刃を有するカッターであって、
前記回転刃の回転により被対象物が切られる距離を測定する測定機構を備えた、カッター。
【請求項２】
刃が外周に形成された円形刃と、
前記円形刃がその中心を軸心にして回転可能に設けられる第１部材と、
前記第１部材に回動軸を介して連結する第２部材と、
前記回動軸から見て前記円形刃の位置に対応する位置であって前記第２部材の前記円形刃に対向する位置に設けられる刃受部と、
前記円形刃と前記刃受部との間に被対象物が介在した状態で前記円形刃の回転により前記被対象物が切られる距離を測定する測定機構とを備えた、カッター。
【請求項３】
刃が外周に形成された円形刃と、
前記円形刃がその中心を軸心にして回転可能に設けられる第１部材と、
前記第１部材に回動軸を介して連結する第２部材と、
前記回動軸から見て前記円形刃の位置に対応する位置であって前記第２部材の前記円形刃に対向する位置に設けられる刃受部と、
前記円形刃と前記刃受部との間に被対象物が介在した状態で前記円形刃の回転により前記被対象物が切られる距離を測定する測定機構と、
前記被対象物に押圧力を加えることが可能な押圧機構とを備えた、カッター。
【請求項４】
前記測定機構が測定した距離を表示する表示部を備えた、請求項１から３のいずれかに記載のカッター。
【請求項５】
刃が外周に形成された円形刃と、
前記円形刃がその中心を軸心にして回転可能に設けられる第１部材と、
前記第１部材に回動軸を介して連結する第２部材と、
前記回動軸から見て前記円形刃の位置に対応する位置であって前記第２部材の前記円形刃に対向する位置に設けられる刃受部とを備えた、カッター。
【請求項６】
刃が外周に形成された円形刃と、
前記円形刃がその中心を軸心にして回転可能に設けられる第１部材と、
前記第１部材に回動軸を介して連結する第２部材と、
前記回動軸から見て前記円形刃の位置に対応する位置であって前記第２部材の前記円形刃に対向する位置に設けられる刃受部と、
前記円形刃と前記刃受部との間に被対象物が介在した状態で、前記被対象物に対して押圧力を加えることが可能な押圧機構とを備えた、カッター。
【考案の詳細な説明】
【技術分野】
【０００１】
本考案は、カッターに関し、特に回転する刃を有するカッター関する。
【背景技術】
【０００２】
固定されたカッターの刃で紙をホッチキスのように挟んで切る手法が提案されている（特許文献１参照）。なお、紙を挟むために、上下ローラを用い或いは回転ベルトを用いている。
【０００３】
【特許文献１】実開平３−２０９６５号公報
【考案の開示】
【考案が解決しようとする課題】
【０００４】
しかしながら、特許文献１に記載の手法では、固定された刃が立っている向きとホッチキス形状の本体を持つ手ののびる向きが垂直に交差しているため、手を動かす際又は紙を動かす際の力加減の調整、特に真っ直ぐに切っていくときの調整が困難であるという問題があった。
【０００５】
また、特許文献１に記載の手法での紙を挟む機構として、単に上下のローラ等で挟む手法では、紙やビニールのような摩擦係数が小さい被対象物に対しては、挟む力が不十分な結果、滑りやすいという問題もあった。そして滑ってしまった結果、きれいに切ることができず、紙が裂けて破れてしまう恐れもあった。
【０００６】
さらに、特許文献１に記載の手法では、所望の切断距離（長さ）を得ようとすれば、定規で距離を図った上で鉛筆等を用いてラインを引き、そして切断するという作業が必要であったため、面倒なばかりか、定規が無ければ勘に頼らざるを得なかった。
【０００７】
ゆえに、本考案は、所望の切断距離で被対象物を切ることが簡単に可能なカッターを提供することである。また、本考案は、手を動かす際又は紙のような被対象物を動かす際の力加減の調整を容易なものとするカッターを提供することである。さらに、本考案は、紙のような切断される被対象物の横ズレ防止を可能とするカッターを提供することである。
【課題を解決するための手段】
【０００８】
請求項１に係る考案は、軸心を中心に回転可能な回転刃を有するカッターであって、回転刃の回転により被対象物が切られる距離を測定する測定機構を備える。
【０００９】
請求項２に係る考案は、刃が外周に形成された円形刃と、円形刃がその中心を軸心にして回転可能に設けられる第１部材と、第１部材に回動軸を介して連結する第２部材と、回動軸から見て円形刃の位置に対応する位置であって第２部材の円形刃に対向する位置に設けられる刃受部と、円形刃と刃受部との間に被対象物が介在した状態で円形刃の回転により前記被対象物が切られる距離を測定する測定機構とを備える。
【００１０】
請求項３に係る考案は、刃が外周に形成された円形刃と、円形刃がその中心を軸心にして回転可能に設けられる第１部材と、第１部材に回動軸を介して連結する第２部材と、回動軸から見て円形刃の位置に対応する位置であって第２部材の円形刃に対向する位置に設けられる刃受部と、円形刃と刃受部との間に被対象物が介在した状態で円形刃の回転により被対象物が切られる距離を測定する測定機構と、被対象物に押圧力を加えることが可能な押圧機構とを備える。
【００１１】
請求項４に係る考案は、請求項１から３のいずれかのカッターにおいて、測定機構が測定した距離を表示する表示部を備える。
【００１２】
請求項５に係る考案は、刃が外周に形成された円形刃と、円形刃がその中心を軸心にして回転可能に設けられる第１部材と、第１部材に回動軸を介して連結する第２部材と、回動軸から見て円形刃の位置に対応する位置であって第２部材の前記円形刃に対向する位置に設けられる刃受部とを備える。
【００１３】
請求項６に係る考案は、刃が外周に形成された円形刃と、円形刃がその中心を軸心にして回転可能に設けられる第１部材と、第１部材に回動軸を介して連結する第２部材と、回動軸から見て円形刃の位置に対応する位置であって第２部材の円形刃に対向する位置に設けられる刃受部と、円形刃と刃受部との間に被対象物が介在した状態で、被対象物に対して押圧力を加えることが可能な押圧機構とを備える。
【考案の効果】
【００１４】
このように本考案によれば、回転刃の回転により紙のような被対象物が切られる距離を測定可能なので、所望の切断距離での切断が簡単に行える。また、回転する円形刃と刃受部との間に紙やビニールのような被対象物を介在して切断するので、従来の固定した刃による完全な点接触による大きな負荷がその接触部位にかかる切断と異なり、回転により力を直線的に逃がしながらの切断となって、手を動かす際又は紙のような被対象物を動かす際の力加減の調整を容易化できる。さらに、円形刃と刃受部との間に被対象物が介在した状態で、被対象物に対して押圧力を加えることが可能なので、紙やビニールのような摩擦係数が小さい対象物に対しても適切な挟む力が得られ、被対象物の横ズレを防止できる。
【考案を実施するための最良の形態】
【００１５】
図１は本考案の実施の形態に係るカッターの全体斜視図であり、図２は図１に示したカッターの分解斜視図である。
【００１６】
カッター１は、全体としてはホッチキス形状をしており、その上部側部材である第１部材３と、下部側部材である第２部材５とを備える。第１部材３の後端部３ａと第２部材の後端部５ａとは蝶番７とで連結され、第１部材３と第２部材５とは回動軸９を軸心にして両者の前端部３ｂと前端部５ｂとが開閉できるようになっている。また、第１部材３の内側中央部には係止孔３ｃが形成されており、それに対応する第２部材５の内側中央部には係止孔５ｃが形成されており、両者にはバネ１１が係止されている。そして、このバネ１１の力が働いているために第１部材３の前端部３ｂと第２部材５の前端部５ｂとの衝突が回避されている。
【００１７】
第１部材３の前端部３ｂの内側最前位置には、押圧機構１３を取り付ける取付孔３ｄが形成されている。押圧機構１３は、取付孔３ｄに嵌められる断面がコの字状の枠体１３ａと、枠体１３ａの底部に配置されるバネ１３ｂと、係合片１３ｃにより一方端側がバネ１３ｂに係合する棒状部材１３ｄと、棒状部材１３ｄの他方端には外周に溝が形勢されてあって軸心部材１３ｅにより回転自在に保持される円環部材１３ｆと、円環部材１３ｆの回転を妨げずに棒状部材１３ｄを枠体１３ａとともに収納する板状部材１３ｇとを備える。この押圧機構１３により、第１部材３の前端部３ｂと第２部材５の前端部５ｂとが接近する方向で力が加えられた場合には、バネ１３ｂの力が棒状部材１３ｄを介して円環部材１３ｆに伝達し、円環部材１３ｆは第２部材の内側最前位置の接触部位に対して押圧力を与えることが可能となる。
【００１８】
第１部材３の前端部３ｂ側ではあるが、取付孔３ｄよりも少し後方位置には、取付孔３ｅが形成されている。取付孔３ｅには枠体１５が嵌め込まれ、枠体１５内には外周に刃が形成された円形刃１７が軸心部材１９により回転自在に支持されている。軸心部材１９には外周に溝が形成されてある円環部材２１も取り付けられている。この円環部材２１の溝に係合する溝が外周に形成されてあって軸心部材２２に取り付けられて回転可能な円環部材２３が、同じく軸心部材２２に取り付けられて回転可能な円環部材２５とともに平行して枠体１５の上方位置に配置されている。円形刃１７は円環部材２３と円環部材２５との間に配置している。円環部材２５の外周には係合するための溝が形成されており、その溝と係合する溝が外周に形成されている円板部材２７が回転可能な状態で円環部材２５に対して垂直方向に配置して設けられている。
【００１９】
円板部材２７の溝と係合する溝が外周に形成された円板部材２９が表示部３１内に収納されており、円板部材２９は軸心部材３３により回転可能である。表示部３１は、図示を省略しているが、例えばカウンターで構成される。
【００２０】
回動軸９から見て円形刃１７の位置に対応する位置であって第２部材５の円形刃１７に対向する位置、つまり第２部材５の内側であって前端部５ｂ側の位置には刃受部３５が設けられている。刃受部３５は、第２部材５の内側に形成された取付孔３７に嵌め込まれる枠体３９と、軸心部材４１により回転自在に支持されるローラ４３とを備える。
【００２１】
このような構成で、円形刃１７とローラ４３との間に、切断の被対象物である例えば紙が介在した状態で、ユーザが第１部材３の前端部３ｂと第２部材５の前端部５ｂとを近づけると、押圧機構１３により円環部材１３がバネ１３ｂの力による押圧力を紙に与えることになる。このように紙がしっかりと保持された状態で、円形刃１７とローラ４３との間に介在した紙は切れ目が入り、切断が開始される状態になる。
【００２２】
そして、紙に対してカッター１全体をスライドさせると、又は、カッター１に対して紙をスライドさせると、その際にバネ１３ｂの力を受けて紙に溝が食い込む形で回転する円環部材１３ｆにより、紙が滑ってしまうというような横ズレ防止が行われつつガイド機能も十分に発揮される結果、紙は円形刃１７とローラ４３との両者の回転により切断されていく。その切断は回転による切断なため、切断時に紙に加えられる負荷は固定した場合に比べて小さくてすみ、スムーズなものとなり、ユーザにとっては力の調整が容易な切断作業となる。しかも、切断時に紙に加えられる円形刃１７の刃渡りが直線上に存在するために、上記した紙に加わる負荷が直線的に逃げる状況になり、真っ直ぐなラインでの切断を容易に行える。
【００２３】
ところで、上記した円形刃１７の回転は、円環部材２１、円環部材２３、円環部材２５、円板部材２７、円板部材２９により伝達される。そのため、これらは測定機構３４を構成し、円形刃１７の回転により切断した距離を測定する機能を果たすことができる。すなわち各部材の径などから円形刃１７が切断していく距離を測定することができるので、表示部３１は、その距離を表示可能である。表示部３１がカウンターであれば、そのカウンターの数値が例えばｍｍ、ｃｍのそれぞれを表示できるようにしておけばよい。なお、カウンターをリセットする機能を持たせ、リセットにより各数値がゼロになるようにしておくことが好ましい。さらに、切断したい距離を予めカウンターにセットしておき、その距離に達した場合には円版部材２９等に対して回転を阻止する機能を持たせてもよい。
【００２４】
なお、表示部３１は、カウンターだけでなく、メジャーのような距離の目盛がふってあるものを円板部材２９の回転により巻き取ってスライド表示するもののほか、液晶などでの電子表示であってもよい。
【００２５】
また、円形刃１７は、完全な円形のほか、楕円であってもよい。また、円形刃１７の外周が全て刃である必要ななく、例えばミシン目のような切れ目を入れるものであれば、鋸刃のように刃が連続して外周に形成されたものであれば十分である。
【００２６】
さらに、カッターで切られる被対象物は、紙或いはビニールに限られるものではない。
【図面の簡単な説明】
【００２７】
【図１】本考案の実施の形態にかかるカッターの全体斜視図である。
【図２】図１のカッターの分解斜視図である。
【符号の説明】
【００２８】
１    カッター
３    第１部材
５    第２部材
９    回動軸
１３  押圧機構
１７  円形刃
３４  測定機構
３５  刃受部
【図１】
0003112463.tif 000003
【図２】
0003112463.tif 000004
【手続補正書】
【提出日】平成17年6月1日(2005.6.1)
【手続補正１】
【補正対象書類名】実用新案登録請求の範囲
【補正対象項目名】全文
【補正方法】変更
【補正の内容】
【実用新案登録請求の範囲】
【請求項１】
軸心を中心に回転可能な回転刃を有するカッターであって、
前記回転刃の回転により被対象物が切られる距離を測定する測定機構を備えた、カッター。
【請求項２】
刃が外周に形成された円形刃と、
前記円形刃がその中心を軸心にして回転可能に設けられる第１部材と、
前記第１部材に回動軸を介して連結する第２部材と、
前記回動軸から見て前記円形刃の位置に対応する位置であって前記第２部材の前記円形刃に対向する位置に設けられる刃受部と、
前記円形刃と前記刃受部との間に被対象物が介在した状態で前記円形刃の回転により前記被対象物が切られる距離を測定する測定機構とを備えた、カッター。
【請求項３】
刃が外周に形成された円形刃と、
前記円形刃がその中心を軸心にして回転可能に設けられる第１部材と、
前記第１部材に回動軸を介して連結する第２部材と、
前記回動軸から見て前記円形刃の位置に対応する位置であって前記第２部材の前記円形刃に対向する位置に設けられる刃受部と、
前記円形刃と前記刃受部との間に被対象物が介在した状態で前記円形刃の回転により前記被対象物が切られる距離を測定する測定機構と、
前記被対象物に押圧力を加えることが可能な押圧機構とを備えた、カッター。
【請求項４】
前記測定機構が測定した距離を表示する表示部を備えた、請求項１から３のいずれかに記載のカッター。
【手続補正２】
【補正対象書類名】明細書
【補正対象項目名】００１２
【補正方法】変更
【補正の内容】
【００１２】
なお、本考案は、刃が外周に形成された円形刃と、円形刃がその中心を軸心にして回転可能に設けられる第１部材と、第１部材に回動軸を介して連結する第２部材と、回動軸から見て円形刃の位置に対応する位置であって第２部材の前記円形刃に対向する位置に設けられる刃受部とを備えるものでもよい。
【手続補正３】
【補正対象書類名】明細書
【補正対象項目名】００１３
【補正方法】変更
【補正の内容】
【００１３】
また、本考案は、刃が外周に形成された円形刃と、円形刃がその中心を軸心にして回転可能に設けられる第１部材と、第１部材に回動軸を介して連結する第２部材と、回動軸から見て円形刃の位置に対応する位置であって第２部材の円形刃に対向する位置に設けられる刃受部と、円形刃と刃受部との間に被対象物が介在した状態で、被対象物に対して押圧力を加えることが可能な押圧機構とを備えるものであってもよい。